(57)【特許請求の範囲】
【請求項１】
装置本体に対して開閉自在な開閉ユニットと、
前記開閉ユニットに保持されており、前記開閉ユニットに対して開閉自在な給紙トレイと、
前記装置本体と前記給紙トレイとを連結する連結部材と
を備え、
前記給紙トレイは、
前記給紙トレイが前記開閉ユニットに対して開いた状態で、前記開閉ユニットが前記装置本体に対して開状態となるときに、前記連結部材と当接する当接部を有し、
前記装置本体は、前記連結部材の一方の端部を固定する第１の固定部を有し、
前記給紙トレイは、前記連結部材の他方の端部を固定する第２の固定部を有し、
前記当接部が、前記第１の固定部の位置と前記第２の固定部の位置とを結ぶ線に対して鉛直方向の上方に位置するとき、前記連結部材と当接する
ことを特徴とする給紙装置。
【請求項２】
装置本体に対して開閉自在な開閉ユニットと、
前記開閉ユニットに保持されており、前記開閉ユニットに対して開閉自在な給紙トレイと、
前記装置本体と前記給紙トレイとを連結する連結部材と
を備え、
前記給紙トレイは、
前記給紙トレイが前記開閉ユニットに対して開いた状態で、前記開閉ユニットが前記装置本体に対して開状態となるときに、前記連結部材と当接する当接部を有し、
前記装置本体は、前記連結部材の一方の端部を固定する第１の固定部を有し、
前記給紙トレイは、前記連結部材の他方の端部を固定する第２の固定部を有し、
前記開閉ユニットは、第１の回動中心を中心に前記装置本体に対して回動するものであり、
前記給紙トレイは、第２の回動中心を中心に前記開閉ユニットに対して回動するものであり、
前記第１の回動中心が、前記第１の固定部の位置と前記第２の固定部の位置とを結ぶ線に対して鉛直方向の下方に位置し、
前記第２の回動中心が、前記第１の固定部の位置と前記第２の固定部の位置とを結ぶ線に対して鉛直方向の上方に位置するとき、前記当接部が前記連結部材と当接し、
前記第２の回動中心が、前記第１の固定部の位置と前記第２の固定部の位置とを結ぶ線に対して鉛直方向の下方に位置するとき、前記当接部が前記連結部材と当接しない
ことを特徴とする給紙装置。
【請求項３】
前記給紙トレイが前記開閉ユニットに対して閉じた状態で、前記開閉ユニットを前記装置本体に対して閉状態となるとき、前記連結部材は前記当接部と離間することを特徴とする請求項１又は２に記載の給紙装置。
【請求項４】
前記開閉ユニットは、
前記給紙トレイが前記開閉ユニットに対して開いた状態で、前記開閉ユニットを前記装置本体に対して閉状態となるとき、前記給紙トレイの端部と係合して前記給紙トレイの位置を保持する保持部を有する
ことを特徴とする請求項１〜３のいずれかに記載の給紙装置。
【請求項５】
請求項１〜４のいずれかに記載の給紙装置を備え、前記給紙装置から給紙された媒体に対して画像を形成することを特徴とする画像形成装置。
【発明の詳細な説明】
【技術分野】
【０００１】
本発明は、給紙装置及び画像形成装置に関し、例えば、ユーザによる手差し給紙により媒体（例えば用紙）を装置本体に供給する給紙装置及びこの給紙装置を備える画像形成装置に適用し得るものである。
【背景技術】
【０００２】
例えば、特許文献１の図１に示すように、画像形成装置の筐体のフロントカバー部に、回動可能な手差しトレイが設けられている画像形成装置がある。このように、フロントカバー部に対して手差しトレイが開状態のとき、フロントカバー部に設けられた押え部がストッパとして機能し、押え部と手差しトレイに当接することにより、手差しトレイの姿勢を保持している。
【先行技術文献】
【特許文献】
【０００３】
【特許文献１】特開２００８−２１３９８５号公報
【発明の概要】
【発明が解決しようとする課題】
【０００４】
しかしながら、上述した画像形成装置のように、フロントカバー部が画像形成装置の本体に対して開閉可能である場合、手差しトレイに用紙を載置したまま、筐体に対してフロントカバー部を開状態とすると、フロントカバー部の開きに合わせて手差しトレイも回動するため、手差しトレイの保持角度が水平線よりも下がってしまい、手差しトレイに載っている用紙が滑り落ちてしまうという課題が生じ得る。
【課題を解決するための手段】
【０００５】
上記のような課題を解決するために、第１の本発明に係る給紙装置は、（１）装置本体に対して開閉自在な開閉ユニットと、（２）開閉ユニットに保持されており、開閉ユニットに対して開閉自在な給紙トレイと、（３）装置本体と前記給紙トレイとを連結する連結部材とを備え、給紙トレイは、給紙トレイが開閉ユニットに対して開いた状態で、開閉ユニットが装置本体に対して開状態となるときに、連結部材と当接する当接部を有し、装置本体は、連結部材の一方の端部を固定する第１の固定部を有し、給紙トレイは、連結部材の他方の端部を固定する第２の固定部を有し、当接部が、第１の固定部の位置と第２の固定部の位置とを結ぶ線に対して鉛直方向の上方に位置するとき、連結部材と当接することを特徴とする。
第２の本発明に係る給紙装置は、（１）装置本体に対して開閉自在な開閉ユニットと、（２）開閉ユニットに保持されており、開閉ユニットに対して開閉自在な給紙トレイと、（３）装置本体と給紙トレイとを連結する連結部材とを備え、給紙トレイは、給紙トレイが開閉ユニットに対して開いた状態で、開閉ユニットが装置本体に対して開状態となるときに、連結部材と当接する当接部を有し、装置本体は、連結部材の一方の端部を固定する第１の固定部を有し、給紙トレイは、連結部材の他方の端部を固定する第２の固定部を有し、開閉ユニットは、第１の回動中心を中心に装置本体に対して回動するものであり、給紙トレイは、第２の回動中心を中心に開閉ユニットに対して回動するものであり、第１の回動中心が、第１の固定部の位置と第２の固定部の位置とを結ぶ線に対して鉛直方向の下方に位置し、第２の回動中心が、第１の固定部の位置と第２の固定部の位置とを結ぶ線に対して鉛直方向の上方に位置するとき、当接部が連結部材と当接し、第２の回動中心が、第１の固定部の位置と第２の固定部の位置とを結ぶ線に対して鉛直方向の下方に位置するとき、当接部が連結部材と当接しないことを特徴とする。
【０００６】
第３の本発明に係る画像形成装置は、第１の本発明の給紙装置を備え、給紙装置から給紙された媒体に対して画像を形成することを特徴とする。
【発明の効果】
【０００７】
本発明は、上記のような特徴を備えることにより、給紙トレイに載置されている記録紙の滑り落ち防止できる。
【図面の簡単な説明】
【０００８】
【図１】実施形態に係る画像形成装置の主な内部構成の概略を示す内部構成図である。
【図２】実施形態に係る画像形成装置及び給紙トレイを示す外観構成図である。
【図３】実施形態に係る画像形成装置の構造分解図と、マルチパーパストレイの側部構造を示す拡大図である。
【図４】実施形態において、マルチパーパストレイと給紙トレイユニットとがともに閉状態のときの画像形成装置の構造を示す側面断面図である。
【図５】実施形態において、マルチパーパストレイが開状態であって、給紙トレイユニットが閉状態のときの画像形成装置の構造を示す側面断面図である。
【図６】実施形態において、マルチパーパストレイが開状態で、給紙トレイユニットが１５°開いたときの画像形成装置の構造を示す側面断面図である。
【図７】実施形態において、マルチパーパストレイが開状態で、給紙トレイユニットが２５°開いたときの画像形成装置の構造を示す側面断面図である。
【図８】実施形態において、マルチパーパストレイが閉状態で、給紙トレイユニットが全開したときの画像形成装置の構造を示す側面断面図である。
【発明を実施するための形態】
【０００９】
（Ａ）主たる実施形態
以下では、本発明に係る給紙装置としての画像形成装置の主たる実施形態を、図面を参照しながら詳細に説明する。
【００１０】
この実施形態では、本発明を利用して、ＬＥＤ方式を採用した電子写真プリンタに適用する場合を例示する。
【００１１】
（Ａ−１）実施形態の構成
図１は、実施形態に係る画像形成装置の主な内部構成の概略を示す内部構成図である。
【００１２】
図２は、実施形態に係る画像形成装置及び給紙トレイを示す外観構成図である。
【００１３】
図２において、実施形態に係る画像形成装置１００は、本体装置としてのプリンタ部１０１、記録紙スタック部２１０、画像形成装置１００の操作部としての操作パネル２１８、画像形成装置１００の状態を表示する表示部としてのＬＣＤ２１９、プリンタ部１０１に対して開閉自在の開閉ユニットとしての給紙トレイユニット１０２、給紙トレイとしてのマルチパーパストレイ（ＭＰＴ）２１１、記録紙収納部２０１を有する。
【００１４】
図２に示すように、画像形成装置１００は、ユーザが利用する操作パネル２１８を設けた側（以下、フロント側とも呼ぶ。）に、当該画像形成装置１００の本体装置としてのプリンタ部１０１に対して、回転軸１０３を中心に開閉自在な開閉ユニットとしての給紙トレイユニット１０２を有する。給紙トレイユニット１０２は、画像形成装置１００本体の内部をメンテナンス等する際に、ユーザにより開けられる。
【００１５】
また、給紙トレイユニット１０２には、当該給紙トレイユニット１０２に対して、開閉自在なマルチパーパストレイ２１１が設けられている。例えば、ユーザが記録紙を手差しにより給紙する場合には、ユーザがマルチパーパストレイ２１１を開き、開いた状態のマルチパーパストレイ２１１の平面上に記録紙が載置されて、当該記録紙の手差し給紙を行なう。
【００１６】
図１において、実施形態に係る画像形成装置１００は、プリンタ部１０１、記録紙収納部２０１、開閉ユニットとしての給紙トレイユニット１０２、給紙トレイとしてのマルチパーパストレイ２１１、手差し記録紙２１２、記録紙収納部２０１から記録紙を搬送する記録紙給紙ローラ２０２、記録紙給紙ローラ２０２により搬送された記録紙を搬送する１対の第１レジストローラ２０３、マルチパーパストレイ２１１若しくは第１レジストローラ２０３から搬送された記録紙を搬送する１対の第２レジストローラ２０４、マルチパーパストレイ２１１上の手差し記録紙２１２を搬送する記録紙搬送ローラ２１６、マルチパーパストレイ２１１上の手差し記録紙２１２を分離する記録紙分離ローラ２１７、マルチパーパストレイ２１１に載置されている手差し記録紙２１２のうち最上位の手差し記録紙２１２をピックアップするピックアップローラ２２０、ピックアップローラ２２０により送り出された手差し記録紙２１２を検出するＩＮセンサ２１３、記録紙への印刷タイミングを検出するため記録紙を検出してＷｒｉｔｅセンサ２１４、トナー潜像画像形成と転写を行う印刷プロセス部２０５、トナーを記録紙に定着させる定着器２０６、トナーが定着した記録紙を搬送、排出する１対の第１イジェクトローラ２０７及び１対の第２イジェクトローラ２０８、排出記録紙２０９を載置する記録紙スタック部２１０を有する。
【００１７】
図１及び図２において、給紙トレイとしてのマルチパーパストレイ２１１に載置された手差し記録紙２１２は、例えば上位装置（図示しない）からの印刷指令（印刷コマンド）を取得すると、例えば駆動モータ等の駆動部によりピックアップローラ２２０が回動し、マルチパーパストレイ２１１上に載置された手差し記録紙２１２がピックアップされ、手差し記録紙２１２は、記録紙搬送ローラ２１６及び記録紙分離ローラ２１７により分離搬送されて給紙方向Ｘに給紙される。
【００１８】
第２レジストローラ２０４に手差し記録紙２１２が突き当たった時点で、画像形成装置１００の制御部（図示しない）は一旦駆動部を停止する。このとき、画像形成装置１００の制御部は、ＩＮセンサ２１３からの検知情報に基づいて、手差し記録紙２１２の先端位置が第２レジストローラ２０４に到達したことを検出して、一時的に駆動部を停止する。そして、制御部は、再度駆動部を駆動し、第２レジストローラ２０４を回転させて、手差し記録紙２１２の搬送を再開する。
【００１９】
画像形成装置１００の制御部は、Ｗｒｉｔｅセンサ２１４からの検知情報に基づいて、手差し記録紙２１２の先端位置を検出し、印刷プロセス部２０５によるトナー潜像画像形成処理及び転写処理を実行する。そして、手差し記録紙２１２上にトナーが転写されると、定着器２０６がトナーを熱溶融し、手差し記録紙２１２上にトナーを定着させる。そして、第１イジェクトローラ２０７、第２イジェクトローラ２０８により、手差し記録紙２１２は搬送されて記録紙スタック部２１０に排出される。
【００２０】
図３（Ａ）は、実施形態に係る給紙装置の構造分解図であり、図３（Ｂ）は、マルチパーパストレイ２１１の側部構造を示す拡大図である。
【００２１】
以下では、図３（Ａ）及び図３（Ｂ）を用いて、給紙トレイユニット１０２の詳細な構造を説明する。
【００２２】
図３（Ａ）に示すように、給紙トレイユニット１０２は、給紙トレイフレーム１０４と、給紙トレイフレーム１０４に取り付けられた操作パネル２１８を有するカバー部材１０５とを有する。給紙トレイフレーム１０４は、マルチパーパストレイ２１１から手差し記録紙２１２の給紙を可能とするために中央部に開口部を有しており、この開口部（中央部）を囲むように、上部、下部、両端部を有する構造となっている。
【００２３】
図３（Ａ）に示すように、給紙トレイフレーム１０４には、第１の回動中心としての給紙トレイフレーム回転軸１０３と、第２の回動中心としての給紙トレイ回転軸１１７とが形成されている。より具体的には、給紙トレイフレーム１０４の給紙方向と直交する方向における両端部の下部外側に、給紙トレイフレーム回転軸１０３が設けられている。また、給紙トレイフレーム１０４の開口部の下部の長手方向（給紙方向と直交する方向）に亘って、給紙トレイ回転軸１１７が設けられている。
【００２４】
給紙トレイフレーム回転軸１０３は、図１に示す開閉ユニットとしての給紙トレイユニット１０２が画像形成装置１００の本体に対して回動するための軸部である。
【００２５】
給紙トレイ回転軸１１７は、給紙トレイとしてのマルチパーパストレイ２１１を回動するための軸部である。マルチパーパストレイ２１１の端部には、給紙トレイ回転軸受部１０６があり、このマルチパーパストレイ２１１の給紙トレイ回転軸受部１０６が給紙トレイ回転軸１１７と嵌合し、マルチパーパストレイ２１１が給紙トレイ回転軸１１７を中心に回動する。
【００２６】
マルチパーパストレイ２１１の記録紙を給紙する方向と直交する方向における両端部のうち一方の端部（図３（Ａ）、図３（Ｂ）の例の場合、手前側（左端部））には、バンド作用点１１１、バンドフック部１１２、第２固定部としてのバンド固定ボス１１３（１１３ａ及び１１３ｂ）が形成されている。これらバンド作用点１１１、バンドフック部１１２、バンド固定ボス１１３（１１３ａ及び１１３ｂ）は、給紙トレイフレーム１０４とマルチパーパストレイ２１１とを連結する連結部材としてのバンド１０７を接続及び固定する接続固定手段として機能する。
【００２７】
バンド作用点１１１は、例えば円柱形状の部材であり、連結部材としてのバンド１０７の一方の端部に形成されている環状部と係合するものである。
【００２８】
バンドフック部１１２は、バンド１０７の抜けを防止するため、バンド１０７を抑えるものである。
【００２９】
バンド固定ボス１１３（１１３ａ及び１１３ｂ）は、バンド１０７の一方の端部に設けられているバンド固定孔１１５と嵌合するものである。バンド固定ボス１１３（１１３ａ及び１１３ｂ）が、バンド１０７のバンド固定孔１１５に嵌められることによりバンド１０７を固定できる。
【００３０】
バンド固定ボス１１３ａ及び１１３ｂは、図３（Ｂ）に示すように、バンドフック部１１２を挟むように設けられており、マルチパーパストレイ２１１がほぼ水平状態の姿勢である開いた状態のときに、バンド１０７の２つのバンド固定孔１１５のそれぞれがバンドフック部１１２の下部に位置するよう、バンド固定ボス１１３ａ及び１１３ｂに嵌合される。つまり、バンド１０７の環状部がバンド作用点１１１に引っ掛けられ、バンドフック部１１２の下部にバンド１０７を配置した状態で、バンド１０７のバンド固定孔１１５がバンド固定ボス１１３ａ及び１１３ｂに嵌合される。このような構造とすることで、マルチパーパストレイ２１１が開閉するときでも、バンド１０７の抜けを防止できる。
【００３１】
また、記録紙が給紙される方向と直交する方向におけるマルチパーパストレイ２１１の一方の端部（図３（Ａ）、図３（Ｂ）の左端部）には、連結部材としてのバンド１０７と当接可能なバンド当接部１１４が形成されている。
【００３２】
バンド当接部１１４は、バンド１０７が取りまわされるルートにおいて、バンド１０７の一方の端部を給紙トレイフレーム１０４側で固定するバンド固定穴部１１８（第１の固定部とも呼ぶ。）の位置と、バンドの他方の端部をマルチパーパストレイ２１１側で固定するバンド固定ボス１１３ａ及び１１３ｂ（第２の固定部とも呼ぶ。）の位置の間に設けられる。つまり、両端部が固定されて設けられたバンド１０７の存在領域（取りまわされるルート）上に、バンド当接部１１４が設けられている。
【００３３】
バンド当接部１１４は、曲面状のバンド当接面１１４ａを有する。後述するように、マルチパーパストレイ２１１の開いた状態での給紙トレイユニット１０２の開閉動作に応じて、バンド１０７に当接したり又は当接しなくなったり（非当接）する部分である。バンド当接部１１４がバンド１０７と当接しているとき、バンド当接部１１４はバンド１０７に対して張力を作用させてマルチパーパストレイ２１１の姿勢を保持することができる。
【００３４】
バンド１０７は、本体装置としてのプリンタ部１０１とマルチパーパストレイ２１１とを連結する連結部材である。バンド１０７は、一方の端部をプリンタ部１０１側に固定され、他方の端部をマルチパーパストレイ２１１側に固定され、プリンタ部１０１とマルチパーパストレイ２１１との間を連結して、マルチパーパストレイ２１１が開けられたときに、マルチパーパストレイ２１１の姿勢を保持するものである。
【００３５】
バンド１０７は、例えば、平板状の面を有する細長い部材を適用できる。また、バンド１０７の材質は、特に限定されるものではないが、例えば、プラスチック材料等により形成されている。
【００３６】
バンド１０７は、プリンタ部１０１側と固定するために、バンド１０７の一方の端部には、フレーム固定部としてのバンド固定穴部１１８を有しており、マルチパーパストレイ２１１側と固定するために、他方の端部には、２個のバンド固定孔１１５を有している。バンド１０７の上記他方の端部は、外側に曲げて環状部を形成し、この環状部を維持するために固定している。
【００３７】
バンド１０７の上記他方の端部に形成されている２個のバンド固定孔１１５はそれぞれ、マルチパーパストレイ２１１の端部に設けられたバンド固定ボス１１３ａ及び１１３ｂと嵌合する。また、バンド１０７の上記他方の端部に形成した環状部は、マルチパーパストレイ２１１の端部に設けられたバンド作用点１１１に掛けられる。
【００３８】
また、バンド１０７の上記一方の端部に形成されているバンド固定穴部１１８は、図３（Ａ）及び図４〜図８に示すように、バンド被固定部１０８を介して、バンド固定金具１０９とバンド固定ネジ１１０により本体装置としてのプリンタ部１０１にネジ止めされている。
【００３９】
給紙トレイフレーム１０４は、図３（Ａ）に示すように、給紙トレイフレームカバー１０５及び操作パネル２１８が取り付けられ、図１に示す給紙トレイユニット１０２の体を成している。
【００４０】
給紙トレイユニット１０２は、画像形成装置１００の本体装置としてのプリンタ部１０１に対して、図示しないロック部により保持され、ユーザによる任意の操作でロック部が解除し、給紙トレイユニット１０２が給紙トレイフレーム回転軸１０３を中心に回動する。
【００４１】
また、マルチパーパストレイ２１１の未使用のときには、マルチパーパストレイ２１１に形成された給紙トレイフック１１９と、給紙トレイフレーム１０４に形成された給紙トレイ固定爪１２０とが嵌合している。マルチパーパストレイ２１１が使用されるときには、給紙トレイフック１１９と給紙トレイ固定爪１２０との嵌合が解かれ、マルチパーパストレイ２１１が給紙トレイ回転軸１１７を中心に回動する。
【００４２】
（Ａ−２）実施形態の動作
次に、実施形態に係る画像形成装置１００の給紙装置の動作を、図面を参照しながら詳細に説明する。
【００４３】
図４は、実施形態において、マルチパーパストレイ２１１と給紙トレイユニット１０２とがともに閉状態のときの画像形成装置１００の構造を示す側面断面図である。
【００４４】
図５は、実施形態において、マルチパーパストレイ２１１が開状態であって、給紙トレイユニット１０２が閉状態のときの画像形成装置１００の構造を示す側面断面図である。
【００４５】
図６は、実施形態において、マルチパーパストレイ２１１が開状態で、給紙トレイユニット１０２が１５°開いたときの画像形成装置１００の構造を示す側面断面図である。
【００４６】
図７は、実施形態において、マルチパーパストレイ２１１が開状態で、給紙トレイユニット１０２が２５°開いたときの画像形成装置１００の構造を示す側面断面図である。
【００４７】
図８は、マルチパーパストレイ２１１が閉状態で、給紙トレイユニット１０２が全開したときの画像形成装置１００の構造を示す側面断面図である。
【００４８】
図４は、マルチパーパストレイ２１１の給紙トレイフック１１９が給紙トレイフレーム１０４の給紙トレイ固定爪１２０に嵌合し、マルチパーパストレイ２１１が閉状態となっている。このとき、連結部材であるバンド１０７はたるんだ状態にあるため、バンド１０７はバンド当接部１１４と当接していない状態となっている。ここで、バンド１０７の長さは、製造バラツキを考慮し、図４（Ｂ）のように、バンド当接部１１４から離れるよう配置される。
【００４９】
図５は、ユーザが記録紙を手差しで供給するため、マルチパーパストレイ２１１を開状態とし、マルチパーパストレイ２１１に手差し記録紙２１２を載置する際の状態を示す。給紙トレイ２１１の給紙トレイフック１１９に対し、給紙トレイフレーム１０４の給紙トレイ固定爪１２０が撓むことにより嵌合が解かれ、マルチパーパストレイ２１１の給紙方向下流側の端部が、保持部としての給紙トレイストッパ１１６と当接して、マルチパーパストレイ２１１が給紙トレイユニット１０２のフロント面（ここで、画像形成装置１００の設置面に対する垂直面を、垂直面Ｐとも呼ぶ。）に対して傾き角度θ１で静止している。なお、マルチパーパストレイ２１１の開状態時の傾き角度θ１は例えば７５°程度とする場合を例示する。
【００５０】
このとき、マルチパーパストレイ２１１は給紙トレイストッパ１１６により保持されるため、バンド１０７による保持は不要であり、バンド１０７をたるんだ状態にあり、バンド１０７とバンド当接部１１４との当接もしない状態とする。図５（Ｂ）中の２点鎖線の如く、バンド１０７はバンド当接部１１４と当接しておらず、バンド１０７にはバンド当接部１１４との当接による張力が発生していない。
【００５１】
図５（Ｂ）に示す状態から、例えば画像形成装置１００の内部メンテナンス等のために、給紙トレイユニット１０２を開くことが必要となる場合がある。
【００５２】
このように、マルチパーパストレイ２１１が開いた状態で、給紙トレイユニット１０２を開く場合、図６（Ｂ）に示すように、給紙トレイユニット１０２は給紙トレイフレーム回転軸１０３を中心に回動する。
【００５３】
このとき、バンド１０７はバンド当接部１１４に当接する状態となる。つまり、バンド１０７がバンド当接面１１４ａに当接するため、バンド当接面１１４ａとの当接によりバンド１０７には張力が発生し、マルチパーパストレイ２１１の姿勢を保持できる。また、バンド１０７の面と曲面状のバンド当接面１１４ａとが当接するので、繰り返し当接と非当接を行なった場合でも張力によるバンド１０７の伸びを低減できる。
【００５４】
ここで、図６（Ｂ）において、マルチパーパストレイ２１１側でバンド１０７を固定するバンド固定ボス１１３ａ又はバンドフック部１１２がバンド１０７に作用する作用点の位置と、本体装置としてのプリンタ部１０１側でバンド１０７を固定するバンド固定穴部１１８の位置とを結ぶ仮想的な直線ＬＩに対して鉛直上方の位置に、バンド当接部１１４は存在する。
【００５５】
そのため、バンド当接部１１４はバンド１０７と当接することで、バンド１０７には張力が作用し、プリンタ部１０１に対してのマルチパーパストレイ２１１の姿勢を保持できる。例えば、画像形成装置１００の設置面に対する垂直面Ｐに対して、マルチパーパストレイ２１１は角度θ２で静止する。この角度θ２は、おおよそ９０°程度とすることができる。
【００５６】
このようにすることで、マルチパーパストレイ２１１上に手差し記録紙２１２が載置されていたとしても、状態が保持され、マルチパーパストレイ２１１から手差し記録紙２１２の滑り落ちを防止できる。
【００５７】
図６（Ｂ）の状態から、給紙トレイユニット１０２を更に開くと、図７（Ｂ）に示す状態となる。
【００５８】
この場合も、マルチパーパストレイ２１１側でバンド１０７を固定するバンド固定ボス１１３ａ又はバンドフック部１１２がバンド１０７に作用する作用点の位置と、プリンタ部１０１側でバンド１０７を固定するバンド固定穴部１１８の位置とを結ぶ仮想的な直線ＬＩに対して鉛直上方の位置に、バンド当接部１１４は存在する。
【００５９】
そのため、バンド１０７がバンド当接面１１４ａに当接し、バンド１０７には張力が発生し、マルチパーパストレイ２１１の姿勢を保持できる。このとき、画像形成装置１００の設置面に対する垂直面に対して、マルチパーパストレイ２１１は角度θ３で静止する。
【００６０】
ここで、図７（Ｂ）の状態の場合、マルチパーパストレイ２１１の傾き角度θ３は、例えば８５°程度となり、図６（Ｂ）の状態の場合の傾き角度θ２よりも小さくなる。
【００６１】
このように、マルチパーパストレイ２１１の傾き角度θ３（図７（Ｂ）参照）が、傾き角度θ２（図６（Ｂ）参照）よりも小さくなる理由を説明する。
【００６２】
図５〜図７において、バンド１０７の実装上の長さ（バンド固定穴部１１８とバンド作用点１１１の間を取りまわされるバンド１０７の実際の長さ）をＬＡとする。図５において、バンド固定穴部１１８とバンド作用点１１１との間の直線距離をＬ１とする。同様に、図６では上記直線距離Ｌ２、図７では上記直線距離Ｌ３とする。
【００６３】
図５（Ｂ）に示すように、バンド１０７がバンド当接部１１４に当接していない状態の場合、バンド１０７の実装上の長さＬＡと距離Ｌ１との差は差分ＬＡ−１となる（図５（Ｂ）参照）。
【００６４】
これに対して、図６（Ｂ）に示すように、バンド１０７がバンド当接部１１４により当接して、バンド１０７に張力が作用するため、バンド１０７の実装上の長さＬＡと距離Ｌ２との差分ＬＡ−２は、差分ＬＡ−１よりも小さくなる。
【００６５】
さらに、図７（Ｂ）に示すように、給紙トレイユニット１０２が開方向に回動すると、バンド固定穴部１１８とバンド作用点１１１との間の距離が大きくなるため、上記直線距離Ｌ３が上記直線距離Ｌ２より大きくなるため、差分ＬＡ−３は、差分ＬＡ−２より小さくなる。そのため、マルチパーパストレイ２１１の姿勢保持は、給紙トレイストッパ１１６による保持から、バンド１０７のバンド当接部１１４による当接による保持に移行し、給紙トレイユニット１０２が開くこととマルチパーパストレイ２１１の傾き角度とは連動せず、マルチパーパストレイ２１１の姿勢を制御することができる。
【００６６】
換言すると、給紙トレイストッパ１１６は、例えば図５（Ｂ）に示すように、給紙トレイフレーム１０４のマルチパーパストレイ２１１の記録紙が載置される面の給紙方向の下流端の下部に設けられている。給紙トレイフレーム１０４は、所定の傾斜面を持つものであり、マルチパーパストレイ２１１の端部が給紙トレイフレーム１０４の傾斜面に当接することで、マルチパーパストレイ２１１の傾きを保持している。給紙トレイストッパ１１６は、給紙トレイフレーム１０４のマルチパーパストレイ２１１の記録紙が載置される面の給紙方向の下流端の下部に設けられているため、給紙トレイユニット１０２の開方向への回動に伴い、給紙トレイストッパ１１６の位置は垂直面Ｐから離れると共に、給紙トレイストッパ１１６の傾斜面の角度は大きくなる。
【００６７】
従来のように、給紙トレイストッパ１１６のみによりマルチパーパストレイ２１１の姿勢を保持している場合、給紙トレイストッパ１１６の傾斜面が大きくなるため、マルチパーパストレイ２１１の載置面の姿勢を水平状態に保持できなかった。
【００６８】
これに対して、この実施形態では、連結部材としてのバンド１０７を用いることにより、バンド当接部１１４との当接によりバンド１０７に張力が作用するため、給紙トレイストッパ１１６の位置が垂直面Ｐから離れ、かつ給紙トレイストッパ１１６の傾斜面の角度は大きくなっても、マルチパーパストレイ２１１の載置面の姿勢を水平状態に保持できる。
【００６９】
さらに、図８（Ｂ）に示すように、給紙トレイユニット１０２を全開にすると、マルチパーパストレイ２１１の傾き角度θ４は、垂直面Ｐに対して４５°程度となり、図６（Ｂ）の傾き角度θ２よりも小さくなる。
【００７０】
このとき、マルチパーパストレイ２１１側でバンド１０７を固定するバンド固定ボス１１３ａ又はバンドフック部１１２がバンド１０７に作用する作用点の位置と、プリンタ部１０１側でバンド１０７を固定するバンド固定穴部１１８の位置とを結ぶ仮想的な直線ＬＩに対して鉛直下方の位置に、バンド当接部１１４のバンド当接面１１４ａは存在しており、バンド当接部１１４はバンド１０７と当接していない。
【００７１】
つまり、バンド１０７の実装上の長さＬＡとバンド固定穴部１１８とバンド作用点１１１との間の直線距離Ｌ４とは等しくなり、バンド１０７とバンド当接部１１４の当接は解除される。
【００７２】
また、給紙トレイユニット１０２とマルチパーパストレイ２１１の角度θ４もほぼ同じとなる。この状態で、給紙トレイユニット１０２の開き動作は終了し、マルチパーパストレイ２１１上の手差し記録紙２１２は、給紙トレイフレームカバー１０５と挟持される。
【００７３】
図５〜図８に例示するマルチパーパストレイ２１１及び給紙トレイユニット１０２の開閉動作状態について換言すると、給紙トレイユニット１０２が回動する給紙トレイフレーム回転軸１０３は、マルチパーパストレイ２１１側でバンド１０７を固定するバンド固定ボス１１３（１１３ａ及び１１３ｂ）の位置と、プリンタ部１０１側でバンド１０７を固定するバンド固定穴部１１８の位置とを結ぶ仮想的な直線ＬＩに対して鉛直下方の位置にする。
【００７４】
そして、マルチパーパストレイ２１１が回動する給紙トレイ回転軸１１７が、マルチパーパストレイ２１１側でバンド１０７を固定するバンド固定ボス１１３ａ又はバンドフック部１１２がバンド１０７に作用する作用点の位置と、プリンタ部１０１側でバンド１０７を固定するバンド固定穴部１１８の位置とを結ぶ仮想的な直線ＬＩに対して鉛直上方に位置するとき、バンド当接部がバンド１０７と当接して、マルチパーパストレイ２１１の姿勢を保持する。
【００７５】
一方、マルチパーパストレイ２１１が回動する給紙トレイ回転軸１１７が、マルチパーパストレイ２１１側でバンド１０７を固定するバンド固定ボス１１３ａ又はバンドフック部１１２がバンド１０７に作用する作用点の位置と、給紙トレイフレーム１０４側でバンド１０７を固定するバンド固定穴部１１８の位置とを結ぶ仮想的な直線ＬＩに対して鉛直下方に位置するとき、バンド当接部がバンド１０７と当接しない。
【００７６】
なお、給紙トレイユニット１０２を閉じる際は、図７、図６、図５と逆手順で行うことにより、マルチパーパストレイ２１１の傾き角度θも９０°を超えることなく、開方向の動作と同様に動作する。
【００７７】
（Ａ−３）実施形態の効果
以上のように、この実施形態によれば、装置本体に対して開閉自在な開閉ユニットと、開閉ユニットに保持されており、開閉ユニットに対して開閉自在な給紙トレイと、装置本体と給紙トレイとを連結する連結部材とを備え、給紙トレイは、給紙トレイが開閉ユニットに対して開いた状態で、開閉ユニットが装置本体に対して開状態となるときに、連結部材と当接する当接部を有することにより、給紙トレイに媒体が載置されている状態で開閉ユニットが開閉されても、給紙トレイに載置されている記録紙の滑り落ちを防止することが出来る。
【００７８】
（Ｂ）他の実施形態
本発明は電子写真プリンタの給紙装置（ＭＰＴ）に適用した例を述べたが、その他各種印刷方式を使用して記録紙上に画像を形成する複写機、ファクシミリ、プリンタ、ＭＦＰ等の画像形成装置の自動媒体給紙装置や手差し記録紙給紙装置、また原稿読み取り手段を持つ複写機、ファクシミリ、ＭＦＰ，イメージスキャナ、ＯＣＲ等の画像読み取り装置の原稿手差し記録紙２１２給紙装置にも利用可能である。
【符号の説明】
【００７９】
１００…画像形成装置、１０１…プリンタ部、１０２…給紙トレイユニット、１０３…給紙トレイフレーム回転軸、１０４…給紙トレイフレーム、１０５…給紙トレイフレームカバー、１０６…給紙トレイ回転軸穴部、１０７…バンド、１０８…バンド被固定部、１０９…バンド固定金具、１１０…バンド固定ネジ、１１１…バンド作用点、１１２…バンドフック、１１３…バンド固定ボス、１１４…バンド当接部、１１５…バンド固定穴部、１１６…給紙トレイストッパ、１１７…給紙トレイ回転受部、１１８…バンド固定穴部、１２０…給紙トレイフック、１２１…給紙トレイ固定爪、
２０１…記録紙収納部、２０２…記録紙給紙ローラ、２０３…第１レジストローラ、２０４…第２レジストローラ、２０５…印刷プロセス部、２０６…定着器、２０７…第１インジェクトローラ、２０８…第２インジェクトローラ、２０９…排出記録紙、２１０…記録紙スタック部、２１１…給紙トレイ、２１２…手差し記録紙、２１３…ＩＮセンサ、２１４…Ｗｒｉｔｅセンサ、２１６…記録紙搬送ローラ、２１７…記録紙分離ローラ、２１８…操作パネル、２１９…ＬＣＤ、２２０…ピックアップローラ。
【図１】
0006670160.tif 000002
【図２】
0006670160.tif 000003
【図３】
0006670160.tif 000004
【図４】
0006670160.tif 000005
【図５】
0006670160.tif 000006
【図６】
0006670160.tif 000007
【図７】
0006670160.tif 000008
【図８】
0006670160.tif 000009